【手続補正書】
【提出日】平成16年4月14日(2004.4.14)
【手続補正１】
【補正対象書類名】明細書
【補正対象項目名】特許請求の範囲
【補正方法】変更
【補正の内容】
【特許請求の範囲】
【請求項１】外側上顆炎の症状を和らげるテニスエルボーパッド構造体であって、
（ａ）防水素材で構成される包装袋と、
（ｂ）該包装袋内に実質的に乾燥状態で保たれ、使用時まで水分の侵入を防ぐべく密閉され、上腕部の放射状肩関節部および外側上顆部に連結する共通腱取付筋および把握回外筋に沿って肘部で密着し、放射方向の圧力を与えるように成形され、堅固な構造体に硬化し、肘部領域で上腕部を保護することなく、外側上顆炎に関連する痛みを和らげるために肘部領域で上腕部に押しつけられるパッドであって、
（i）実質的に乾燥の状態で維持される間はその安定性が保たれ、水分に触れると硬化
してパッドが密着する上腕部に沿う形状に形成され、堅固な自己支持構造を有する反応性樹脂で含浸あるいは被覆された当初は柔軟な基材と、
(ii)  該基材の少なくとも２面を包んでいるクッション層と、
(iii)該基材の少なくとも１面を覆う柔軟な外層と、
を含むパッドと、
（ｃ）該パッドと連携して該パッドを上腕部に密着した状態に保つサポートと、
を含むことを特徴とするテニスエルボーパッド構造体。
【請求項２】  サポートが外面、第一端部および第二端部を有した長形ストラップを含み、該ストラップの該第一端部がパッドの上面に着脱式に係留されており、それによって該ストラップが上腕部周囲に伸びて該パッドの上腕部への密着を保つことを特徴とする請求項１に記載のテニスエルボーパッド構造体。
【請求項３】  包装袋が少なくとも１層のプラスチックフィルム層、および該プラスチック層に接着する少なくとも１層のアルミ箔層を含む積層構造を持つことを特徴とする請求項１または２に記載のテニスエルボーパッド構造体。
【請求項４】  内部層が複数の重複ファイバーグラス層を含むことを特徴とする請求項１または２に記載のテニスエルボーパッド構造体。
【請求項５】  複数の重複ファイバーグラス層が３層以上５層以下で構成されることを特徴とする請求項４に記載のテニスエルボーパッド構造体。
【請求項６】  クッション層は、フォームを含んでいることを特徴とする請求項４に記載のテニスエルボーパッド構造体。
【請求項７】  フォームが独立気泡エチレンビニールアセテート及びポリウレタンで成る群から選択されることを特徴とする請求項６に記載のテニスエルボーパッド構造体。
【請求項８】  反応性樹脂がポリイソシアネート、ポリオール、触媒および安定剤の混合物を含んでいることを特徴とする請求項１または２に記載のテニスエルボーパッド構造体。
【請求項９】  上面に取り付けられたループを含み、該ループがストラップを中に通して受領し、パッドを上腕部に安定させることを特徴とする請求項２に記載のテニスエルボーパッド構造体。
【請求項１０】  上面に取り付けられた第一留め具を含み、該留め具がストラップの補完的内側面とともに着用中のパッドを上腕部に固定することを特徴とする請求項９に記載のテニスエルボーパッド構造体。
【請求項１１】  前記第一留め具は内側面と補完的な面ファスナー素材を含んでいることを特徴とする請求項１０に記載のテニスエルボーパッド構造体。
【請求項１２】  ストラップの第一端部がそれに結合された第一留め輪を含んでおり、前記第二端部をその中に通して該ストラップを上腕部に安定させることを特徴とする請求項１１に記載のテニスエルボーパッド構造体。
【請求項１３】  ストラップの第二端部に取り付けられ、外面に着脱式に留められる第二留め具を含み、それによって該ストラップを上腕部に固定させることを特徴とする請求項１２に記載のテニスエルボーパッド構造体。
【請求項１４】  ストラップの外面が面ファスナ素材を含むことを特徴とする請求項１３に記載のテニスエルボーパッド構造体。
【請求項１５】  第二留め具が外面に対して補完的な面ファスナ素材のパッチを含んでいることを特徴とする請求項１４に記載のテニスエルボーパッド構造体。
【請求項１６】  外層は、クッション層を包む柔軟な保護カバーをさらに含んでおり、基材、クッション層及びカバーは柔軟な状態で一体構造となるように結合されて上腕部及び肘部の形状に成型されてことを特徴とする請求項１に記載のテニスエルボーパッド構造体。
【請求項１７】  カバーはポリエステルシート布で構成されていることを特徴とする請求項１６に記載のテニスエルボーパッド構造体。
【請求項１８】  外側上顆炎の症状を和らげるテニスエルボーパッド構造体であって、
（ａ）上腕部の外側上顆部および放射状肩関節に結合する共通腱取付筋、および把握回外筋に対し肘部で密着し、放射方向の圧力を提供するように形成され、堅固な構造体に硬化し、肘部領域で上腕部を保護することなく、上顆炎に関連する痛みを和らげるために肘部領域で上腕部に押しつけられるパッドであって
(i)実質的に乾燥状態で保たれる間は安定に維持され、水分に触れると硬化してパッド
が密着する上腕部の形状に沿って形成され、堅固な自己支持構造を有する反応性樹脂で含浸あるいは塗装された当初は柔軟な基材と、
(ii) 該基材の少なくとも２面を包んでいるクッション層と、
（iii）前記クッション層を覆う柔軟なカバーと、
を含むパッドと、
（ｂ）該パッドと連携して該パッドを上腕部に密着した位置で維持するサポートと、
を含むことを特徴とするテニスエルボーパッド構造体。
【請求項１９】  サポートが外面、第一端部および第二端部を有する長形ストラップを含み、該ストラップの該第一端部がパッドの上面に着脱式に係留されており、それによって該ストラップが該パッドの上腕部への密着を維持するように上腕部周囲に伸びることを特徴にする請求項１８に記載のテニスエルボーパッド構造体。
【請求項２０】  内部層が複数の重複ファイバーグラス層を含んでいることを特徴とする請求項１８または１９に記載のテニスエルボーパッド構造体。
【請求項２１】  複数の重複層が３層以上５層以下で構成されていることを特徴とする請求項２０に記載のテニスエルボーパッド構造体。
【請求項２２】  クッション層はフォームを含んでいることを特徴とする請求項２０に記載のテニスエルボーパッド構造体。
【請求項２３】  フォーム層が独立気泡エチレンビニールアセテートおよびポリウレタンから成る群より選択されることを特徴とする請求項２２に記載のテニスエルボーパッド構造体。
【請求項２４】  基材がフォーム層を封入する柔軟な保護カバーをさらに含み、基材、フォーム層およびカバーが一体構造で提供され、柔軟な内に上腕部と肘部の形状に沿って形成されることを特徴とする請求項２２に記載のテニスエルボーパッド構造体。
【請求項２５】  カバーがポリエステルシート布で構成されることを特徴とする請求項２４に記載のテニスエルボーパッド構造体。
【請求項２６】  反応性樹脂がポリイソシアネート、ポリオール、触媒および安定剤の混合物を含むことを特徴とする請求項１８または１９に記載のテニスエルボーパッド構造体。
【請求項２７】  上面に取り付けられ、パッドを上腕部へ固定させるようにストラップを受領するループを含んでいることを特徴とする請求項１９に記載のテニスエルボーパッド構造体。
【請求項２８】  ストラップの補完的内側面と連携して着用中のパッドを上腕部に固定する第一留め具を上面に含むことを特徴とする請求項２７に記載のテニスエルボーパッド構造体。
【請求項２９】  第１固定具は内側面と補完的な面ファスナ素材を含んでいることを特徴とする請求項２８に記載のテニスエルボーパッド構造体。
【請求項３０】  ストラップの第１端部は、上腕部にストラップを固定するため、取り付けられ、第２端部を受領するようになったことを特徴とすると急行２９に記載のテニスエルボーパッド構造体。
【請求項３１】  ストラップの第二端部に取り付けられ、外面に着脱式に係留されている第二留め輪を含んでおり、該ストラップを上腕部周囲に固定することを特徴とする請求項３０に記載のテニスエルボーパッド構造体。
【請求項３２】  ストラップの外面が面ファスナ素材を含むことを特徴とする請求項３１に記載のテニスエルボーパッド構造体。
【請求項３３】  第二留め具が外面に対して補完的な面ファスナ素材のパッチを含むことを特徴とする請求項３２に記載のテニスエルボーパッド構造体。